(57)【要約】【課題】本明細書は、平ワッシャとゴムワッシャが付いたワッシャ付ネジに関し、平ワッシャを脱落し難くする技術を提供する。【解決手段】ワッシャ付ネジ２は、ネジ本体１０と平ワッシャ２０とゴムワッシャ３０を備えている。ネジ本体１０は、ネジ溝が形成されている軸部１５と頭部１２の間に円筒部１４を備えている。平ワッシャ２０は、頭部１２に隣接するように円筒部１４に挿通されている。ゴムワッシャ３０は、円筒部１４に挿通されており、平ワッシャ２０の軸部側に位置している。円筒部１４には、平ワッシャ２０を係止する突起１７が設けられている。平ワッシャ２０の内縁が突起１７に引っ掛かり、平ワッシャ２０の脱落が防止される。【選択図】図１
2018031466.tif 000002
【特許請求の範囲】
【請求項１】
ネジ溝が形成されている軸部と頭部との間に円筒部が設けられているネジ本体と、
前記頭部に隣接するように前記円筒部に挿通されている平ワッシャと、
前記円筒部に挿通されており、前記平ワッシャの軸部側に位置するゴムワッシャと、
を備えており、
前記平ワッシャを係止する突起が前記円筒部に設けられている、ワッシャ付ネジ。
【請求項２】
前記円筒部に、前記ゴムワッシャが嵌合する溝が設けられている、請求項１のワッシャ付ネジ。
【発明の詳細な説明】
【技術分野】
【０００１】
本明細書は、平ワッシャとゴムワッシャが付いたネジを開示する。本明細書における「ネジ」には、頭部が多角形のボルトが含まれる。
【背景技術】
【０００２】
回路基板を固定するのに、平ワッシャとゴムワッシャを伴うネジが用いられることがある（例えば、特許文献１）。平ワッシャは、ネジ本体の頭部に隣接するように軸部に挿通されており、さらにゴムワッシャが軸部に挿通されている。特許文献１のワッシャ付ネジは、ゴムワッシャの弾性力で回路基板を押さえ付ける。回路基板の熱変形も、ゴムワッシャの弾性力で吸収することができる。特許文献１のワッシャ付ネジは、ゴムワッシャの孔の内周面に、ネジ本体の軸部に接する突起が設けられており、平ワッシャとゴムワッシャが脱落し難くなっている。
【先行技術文献】
【特許文献】
【０００３】
【特許文献１】特開２０１４−２４０６７５号公報
【発明の概要】
【発明が解決しようとする課題】
【０００４】
軸部に対するゴムワッシャの摩擦力だけでは、平ワッシャとともにゴムワッシャが脱落するおそれがある。また、平ワッシャを軸部に通し、さらにゴムワッシャを軸部に通す工程を機械で行うことを想定した場合、ゴムワッシャを挿通する前に平ワッシャが脱落するおそれがある。平ワッシャが脱落し難い構造が望まれている。
【課題を解決するための手段】
【０００５】
本明細書が開示するワッシャ付ネジのネジ本体には、ネジ溝が形成されている軸部と頭部との間に円筒部が設けられている。平ワッシャは、頭部に隣接するように円筒部に挿通されている。ゴムワッシャは、円筒部に挿通されており、平ワッシャの軸部側に位置している。そして、平ワッシャを係止する突起が円筒部に設けられている。このワッシャ付ネジでは、円筒部に設けられた突起が平ワッシャの脱落を防止する。ゴムワッシャが無くとも平ワッシャは脱落し難い。また、ゴムワッシャを取り付けた際、ゴムワッシャと平ワッシャが脱落する可能性も、突起を備えない場合と比較して小さくなる。なお、突起を含む円筒部の直径は、平ワッシャの内径（平ワッシャの孔の直径）とほぼ同じかわずかに大きい。従って、平ワッシャは、押し込めば容易に突起を超えることができる。また、突起を含む円筒部の直径が平ワッシャの内径とほぼ同じであっても、平ワッシャがわずかでも傾いていれば、突起に引っ掛かり脱落しない。
【０００６】
ゴムワッシャを取り付けたときの平ワッシャとゴムワッシャの脱落防止をより確実にするために、ネジ本体の円筒部に、ゴムワッシャが嵌合する溝が設けられているとよい。本明細書が開示する技術の詳細とさらなる改良は以下の「発明を実施するための形態」にて説明する。
【図面の簡単な説明】
【０００７】
【図１】ネジ中心線に沿ってカットしたワッシャ付ネジの断面図である。
【図２】ワッシャ付ネジの分解断面図である。
【図３】図１の符号IIIが示す円内の拡大図である。
【発明を実施するための形態】
【０００８】
図面を参照して実施例のワッシャ付ネジ２を説明する。図１に、ネジ中心線ＣＬに沿ってカットしたワッシャ付ネジ２の断面図を示す。図２に、ワッシャ付ネジ２の分解断面図を示す。図３は、図１において符号IIIが示す円内の拡大図である。なお、図３では、ゴムワッシャ３０は図示を省略した。
【０００９】
ワッシャ付ネジ２は、ネジ本体１０と、平ワッシャ２０と、ゴムワッシャ３０を備えている。ネジ本体１０は、頭部１２と、円筒部１４と、ネジ溝が形成されている軸部１５で構成されている。
【００１０】
円筒部１４は、頭部１２と軸部１５の間に設けられている。円筒部１４の直径は、フランジ１３の直径よりも小さく、しかし、軸部１５の直径よりも大きい。この円筒部１４に、平ワッシャ２０とゴムワッシャ３０が挿通される。平ワッシャ２０が頭部側に位置し、ゴムワッシャ３０が軸部側に位置する。
【００１１】
ネジ本体１０の頭部１２には、ドライバが嵌合する溝１６と、フランジ１３が設けられている。フランジ１３は、平ワッシャ２０が頭部側へ抜けないようにするために設けられている。また、フランジ１３の軸部側のフランジ面は、ネジ本体１０の座面に相当する。このフランジ面（座面）は、ワッシャ付ネジ２を締め付けたとき、平ワッシャ２０を通じて加わるゴムワッシャ３０の頭部側の反力を受ける。広いフランジ面でゴムワッシャ３０の反力を受けることで、平ワッシャ２０の変形が抑えられる。
【００１２】
図３によく示されているように、円筒部１４には、突起１７と、溝１８が設けられている。突起１７を含む円筒部１４の直径Ｄ２は、平ワッシャ２０の内径Ｄ１（平ワッシャ２０の孔の直径）とほぼ同じか、内径Ｄ１よりもわずかに大きい（本実施例では、突起１７を含む円筒部１４の直径Ｄ２は、平ワッシャ２０の内径Ｄ１よりもわずかに大きい）。それゆえ、軸部側から頭部１２の側へ平ワッシャ２０を強く押し込むと、平ワッシャ２０は容易に突起１７を超えて突起１７とフランジ１３の間に位置する。ただし、一旦、突起１７とフランジ１３の間に嵌った平ワッシャ２０は、重力の作用程度では突起１７を超えて軸部側に移動することはない。即ち、重力の作用程度では、平ワッシャ２０はネジ本体１０から脱落しない。円筒部１４の直径Ｄ２が平ワッシャ２０の内径Ｄ１とほぼ同じ場合であっても、平ワッシャ２０がわずかでも傾いていれば、平ワッシャ２０は突起１７に引っ掛かり、脱落しない。突起１７は、平ワッシャ２０を円筒部１４に係止する役割を担う。突起１７により、平ワッシャ２０は容易にはネジ本体１０から脱落しない。なお、突起１７は、円筒部１４の外周を一巡している。
【００１３】
円筒部１４には、その周を一巡する溝１８が設けられている。溝１８にゴムワッシャ３０の内側のリブ３０ａが嵌合する。ゴムワッシャ３０が円筒部１４の溝１８に嵌合することで、ゴムワッシャ３０もネジ本体１０から脱落し難くなっている。
【００１４】
実施例で説明した技術に関する留意点を述べる。ネジ本体１０の円筒部１４に設けられている突起１７は、円筒部１４を一巡している。突起１７は、円筒部１４を一巡する突条でなく、周方向の長さが短く、円筒部１４の周方向に一列に複数個が設けられたものであってもよい。
【００１５】
平ワッシャ２０は、例えば鉄など、強度の高い金属で作られていることが好ましいが、樹脂や炭素繊維で作られたものであってもよい。
【００１６】
実施例のワッシャ付ネジ２は、回路基板を固定するのに適している。ゴムワッシャ３０が、その弾性力で回路基板を押さえ付けるので、回路基板を傷付けることなく、しっかりと回路基板を固定することができる。ただし、本明細書が開示するワッシャ付ネジは、回路基板を固定するものに限られない。
【００１７】
また、実施例のワッシャ付ネジ２は、頭部にドライバ嵌合用の溝１６を備えているタイプのネジである。本明細書における「ネジ」には、頭部が多角形のボルトを含む。即ち、本明細書が開示する技術は、ボルトに適用することも好適である。
【００１８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００１９】
２：ワッシャ付ネジ
１０：ネジ本体
１２：頭部
１３：フランジ
１４：円筒部
１５：軸部
１６：溝
１７：突起
１８：溝
２０：平ワッシャ
３０：ゴムワッシャ
３０ａ：リブ
【図１】
2018031466.tif 000003
【図２】
2018031466.tif 000004
【図３】
2018031466.tif 000005